(57)【要約】【課題】室内ユニットの設置後に部品の追加や交換等があった場合でも配線接続が容易な壁掛け型空気調和装置を提供する。【解決手段】熱交換器２、ドレンパン３１、及び送風機４をフレーム３に組み付けて固定し、このフレーム３の前面にグリル１０を備えた壁掛け型空気調和装置１において、熱交換器２の側方に縦長の電装箱５５を配置し、この電装箱５５が上下に間隔を開けて第一端子板１０１、第二端子板１０２を備えると共に、その中間位置に配線仕切板１０３を備え、グリル１０が第一端子板１０１、配線仕切板１０３、第二端子板１０２を露出させる開口１８を備え、第一端子板１０１に接続した配線は、配線仕切板１０３の下側を通して、電装箱５５内の基板１１０に接続され、第二端子板１０２に接続した配線は、配線仕切板１０３の上側を通して電装箱５５内の基板１２０に接続する。【選択図】図４
2011052836.tif 000002
【特許請求の範囲】
【請求項１】
熱交換器、ドレンパン、及び送風機をフレームに組み付けて固定し、このフレームの前面に、前記熱交換器を覆うグリルを備えた壁掛け型空気調和装置において、
前記熱交換器の側方に縦長の電装箱が配置され、
この電装箱が上下に間隔を開けて第一端子板、及び第二端子板を備えると共に、これら端子板の中間位置に配線仕切板を備え、
前記グリルが、前記第一端子板、及び前記配線仕切板、並びに前記第二端子板を露出させる開口を備え、
前記第一端子板に接続した配線は、前記配線仕切板の下側を通して、電装箱内の基板に接続され、
前記第二端子板に接続した配線は、前記配線仕切板の上側を通して電装箱内の基板に接続されること、
を特徴とする壁掛け型空気調和装置。
【請求項２】
前記第一端子板に接続した配線は電装箱内の第一の基板に接続され、
前記第二端子板に接続した配線は電装箱内の第二の基板に接続されること、
を特徴とする請求項１に記載の壁掛け型空気調和装置。
【請求項３】
前記電装箱は前記熱交換器側に配置する内側板と、この内側板に対向する外側板とを備え、当該内側板と外側板との間に前記基板が収容されており、
前記内側板の前端に連接して前記熱交換器側に突出する前面板が設けられ、当該前面板に前記第一端子板、及び前記第二端子板、並びに前記配線仕切板が配置され、
前記内側板と前記外側板との間には、着脱自在の前面カバー部材が被せられること、
を特徴とする請求項１又は２に記載の壁掛け型空気調和装置。
【請求項４】
前記外側板が奥端をヒンジ連結して、前端を側方に開閉可能に形成されること、
を特徴とする請求項３に記載の壁掛け型空気調和装置。
【請求項５】
前記外側板の裏面に、前記第一端子板に接続した配線が接続される第一の基板が取り付けられること、
を特徴とする請求項４に記載の壁掛け型空気調和装置。
【請求項６】
前記電装箱の前面側には開口が設けられ、当該開口を介して前記第二端子板に接続される第二の基板が前方に引き出し自在に前記電装箱に収容されること、
を特徴とする請求項２に記載の壁掛け型空気調和装置。
【発明の詳細な説明】
【技術分野】
【０００１】
本発明は、電装箱に端子板が設けられた壁掛け型空気調和装置に関する。
【背景技術】
【０００２】
従来、１台の室外ユニットに対して１台の室内ユニットを接続し、設定温度や室温等に応じて、室外ユニットの運転状態を制御する壁掛け型空気調和装置が知られている。室内ユニットには室外ユニットと通信を行いながら室内ユニットの運転制御を行うための制御基板が設けられている。制御基板は電装箱に収容され、電装箱には、室外ユニットからの通信配線を制御基板に接続するための端子板が設けられる（例えば、特許文献１参照）。
また、壁掛け型空気調和装置において、１台又は複数台の室外ユニットに対して複数台の室内ユニットを接続し、各室内ユニットの運転状態に応じて、集中制御装置により１台又は複数台の室外ユニットの運転状態を制御するようにしたものも知られている。この場合、室内ユニットには、メイン基板としての上記の制御基板に加えて、集中制御装置と通信し、集中制御装置からの制御信号をメイン基板に与える集中制御装置用の制御基板がサブ基板として設けられる。
【先行技術文献】
【特許文献】
【０００３】
【特許文献１】特開２００９−７４７４９号公報
【発明の概要】
【発明が解決しようとする課題】
【０００４】
ところで、室内ユニットにサブ基板等のオプション仕様に対応する部品を追加したり、メンテナンス時や仕様変更時等に部品の交換等があった場合、これらの部品に付随する端子板を電装箱に新たに設けて、各種配線接続を行う必要がある。しかしながら、壁掛け型空気調和装置の室内ユニットは居室等の天井面に近接して配置される。従って、既に設置された室内ユニットに対して、部品の追加や交換を行う場合、部品の追加や交換に伴う各種配線接続を高所で行う必要があり、作業性が悪く、また、各種配線接続を確実に行ったりするのは困難であった。
本発明は、上述した事情に鑑みてなされたものであり、室内ユニットの設置後に部品の追加や交換等があった場合でも配線接続が容易な壁掛け型空気調和装置を提供することを目的とする。
【課題を解決するための手段】
【０００５】
上記目的を達成するために、本発明の第一態様は、熱交換器、ドレンパン、及び送風機をフレームに組み付けて固定し、このフレームの前面に、前記熱交換器を覆うグリルを備えた壁掛け型空気調和装置において、前記熱交換器の側方に縦長の電装箱が配置され、この電装箱が上下に間隔を開けて第一端子板、及び第二端子板を備えると共に、これら端子板の中間位置に配線仕切板を備え、前記グリルが、前記第一端子板、及び前記配線仕切板、並びに前記第二端子板を露出させる開口を備え、前記第一端子板に接続した配線は、前記配線仕切板の下側を通して、電装箱内の基板に接続され、前記第二端子板に接続した配線は、前記配線仕切板の上側を通して電装箱内の基板に接続されること、を特徴とする壁掛け型空気調和装置を提供する。
上記構成によれば、電装箱には第一端子板、及び第二端子板が備えられているため、例えば、第一端子板を室内ユニットの運転制御を行うためのメイン基板用の端子板とし、第二端子板をオプション仕様に対応する部品を追加するための端子板として、後付けでオプション仕様に対応する部品を追加する場合に、この第二端子板を用いて、配線接続を簡易に行うことができる。
また、上記構成によれば、例えば、室内ユニットの運転制御用の制御基板に第一端子板に接続された配線を接続する場合、この第一端子板に接続された配線はこの配線仕切板の下側を通して、電装箱内の基板に接続される。したがって、第一端子板に接続された配線を配線仕切板により被覆して、不用意にメンテナンス作業者等に触れられるのを防止することができる。
また、配線仕切板により、第一端子板に接続された配線と、第二端子板に接続された配線との干渉を防ぐことができる。
【０００６】
本発明の第二態様は、上記第一態様において、前記第一端子板に接続した配線は電装箱内の第一の基板に接続され、前記第二端子板に接続した配線は電装箱内の第二の基板に接続されること、を特徴とする。
上記構成によれば、第一端子板に接続した配線を、例えば、第一の基板として室内ユニットの運転制御を行うためのメイン基板に接続することができる。また、第二端子板を第二の基板としてサブ基板等のオプション仕様に対応する部品を後付けで追加する場合の端子板として用いることができる。
【０００７】
本発明の第三態様は、上記第一態様又は第二態様において、前記電装箱は前記熱交換器側に配置する内側板と、この内側板に対向する外側板とを備え、当該内側板と外側板との間に前記基板が収容されており、前記内側板の前端に連接して前記熱交換器側に突出する前面板が設けられ、当該前面板に前記第一端子板、及び前記第二端子板、並びに前記配線仕切板が配置され、前記内側板と前記外側板との間には、着脱自在の前面カバー部材が被せられること、を特徴とする。
上記構成によれば、内側板と外側板との間に、基板が収容されて、着脱自在の前面カバー部材が被せられ、内側板の前端に連接して熱交換器側に突出する前面板に第一端子板及び第二端子板、並びに配線仕切板が配置されるので、グリルの開口から基板の収容箇所が露出するのを防止することができる。
【０００８】
本発明の第四態様は、上記第三態様において、前記外側板が奥端をヒンジ連結して、前端を側方に開閉可能に形成されること、を特徴とする。
上記構成によれば、電装箱の外側板を側方に開いて、電装箱に収容された基板にオプション仕様に対応する部品追加に伴うコネクター差込作業等の各種の作業を行うことができる。
【０００９】
本発明の第五態様は、上記第四態様において、前記外側板の裏面に、前記第一端子板に接続した配線が接続される第一の基板が取り付けられること、を特徴とする。
上記構成によれば、外側板の裏面に第一の基板が取り付けられるので、外側板を開いた状態で、外側板に第一の基板を支持させた状態で、オプション仕様に対応する部品の追加に伴う第一の基板へのコネクターの差込作業等の各種の作業を行うことができる。
【００１０】
本発明の第六態様は、上記第二態様において、前記電装箱の前面側には開口が設けられ、当該開口を介して前記第二端子板に接続される第二の基板が前方に引き出し自在に前記電装箱に収容されること、を特徴とする。
上記構成によれば、サブ基板等の第二の基板をオプション仕様に対応する部品として追加する場合、電装箱の前面側に設けられた開口から当該第二の基板を挿入して収容することができる。また、電装箱に収容された第二の基板を、電装箱を室内ユニットから取り外すことなく、開口から引き出してこのようなオプション仕様の部品の交換等を簡易に行うことができる。
【発明の効果】
【００１１】
本発明によれば、予め端子板が設けられているので、室内ユニットの設置後に部品の追加や交換等があった場合でも配線接続を容易に行うことができる。
【図面の簡単な説明】
【００１２】
【図１】本実施の形態の壁掛け型空気調和装置の断面図である。
【図２】本実施の形態の壁掛け型空気調和装置の分解斜視図である。
【図３】本実施の形態の電装箱を外側板側から示す斜視図である。
【図４】本実施の形態の電装箱の外側板を開いた状態を示す斜視図である。
【図５】本実施の形態の電装箱の斜視分解図である。
【図６】本実施の形態の電装箱の外側板の側における側面図（ａ）と、正面図（ｂ）である。
【図７】本実施の形態の壁掛け型空気調和装置の一部を前面パネルを外した状態で示す正面図である。
【図８】本実施の形態の電装箱に設けられる第一端子板及び第二端子板を示す正面図である。
【図９】本実施の形態の第一端子板、及び第二端子板、並びに配線仕切板を示す斜視断面図である。
【発明を実施するための形態】
【００１３】
以下、図面を参照して本発明の実施形態について説明する。
図１は本発明を適用した実施の形態に係る壁掛け型空気調和装置１の断面図であり、図２は壁掛け型空気調和装置１の分解斜視図である。
壁掛け型空気調和装置１は、断面略Ｃ字状に形成されたフィンアンドチューブ型の熱交換器２をフレーム３に配設し、この熱交換器２の内側に送風機４を配置して構成され、熱交換器２にはグリル１０が被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部が形成されている。このフレーム３及びグリル１０によって壁掛け型空気調和装置１の筐体が構成される。
熱交換器２の側方には、フィンから露出する冷媒配管部分において凝縮したドレン水を受けて、ドレンパン３１に流すための水受け２１が熱交換器２と一体に組み付けられて、熱交換ユニット２０を構成している。この水受けは、熱交換器２に組み付けられた状態で、熱交換器２の一次側と二次側とを仕切る仕切部材として機能している。
この水受け２１の熱交換器２側の側面には、図示しない開口が設けられており、熱交換器２の一次側の吸い込み温度を検出する温度センサーが開口内に挿入されるようにして取り付けられる。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはビスキャップ１４により塞がれている。
【００１４】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
送風機４の一端にはファンモーター４６が連結され、ファンモーター４６が、軸受け４７を介してフレーム３に取り付けられている。より詳細に説明すると、送風機４の一端には、ファンモーター４６の出力軸が挿入される穴４１が設けられ、この穴４１に挿入されたファンモーター４６の出力軸は、送風機４の側面から螺入されるセットスクリュー４２によって、送風機４に固定される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１５】
グリル１０には上面吸込口１１及び前面吸込口１２が開口し、前面吸込口１２を覆うように前面パネル１６が取り付けられる。グリル１０には、熱交換ユニット２０の側方に相当する位置に開口１８が形成されている。この開口１８については後述する。
送風機４は、上面吸込口１１及び前面吸込口１２から熱交換器２を介して室内空気を吸い込み、熱交換器２において熱交換された空気を、スクロール部３２と舌部４８との間の空間を通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１６】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする部材である。
【００１７】
以上の様に構成された、壁掛け型空気調和装置１において、熱交換ユニット２０の側方には正面視において、高さ方向に縦長に構成された電装箱５５が配置される。フレーム３には、ドレンパン３１の側方に電装箱組付部３４が設けられており、この電装箱組付部３４において電装箱５５がフレーム３に組み付けられる。
ここで、図３〜図９に電装箱５５の構成を示す。図３は電装箱５５を外側板９２側から示す斜視図である。また、図４は、電装箱５５の外側板９２を開いた状態を示す斜視図である。図５は、電装箱５５の斜視分解図である。図６（ａ）は電装箱５５の外側板９２の側における側面図であり、図６（ｂ）は、電装箱５５の正面図である。また、図７は、前面パネル１６を外した壁掛け型空気調和装置１の一部を示す正面図であり、図８は、第一端子板１０１、及び第二端子板１０２を示す正面図である。さらに、図９は、図８に示すＡ−Ａ’線における断面の一部を示す斜視断面図である。
但し、電装箱５５の側板のうち、熱交換ユニット２０側に配置される側板を内側板９１、この内側板９１に対向する側板を外側板９２とする。また、第一端子板１０１、及び第二端子板１０２が設けられる側を前側とし、据付板５０の側を奥側とする。
【００１８】
図３〜図９に示す様に、電装箱５５は内側板９１を備えた電装箱本体９０と、この電装箱５５に開閉可能にヒンジ連結される外側板９２とを備えている。図４に示す様に、電装箱５５の外側板９２は奥端９２ａが電装箱本体９０にヒンジ連結されており、前端９２ｂが側方に開閉可能に形成されている。外側板９２の上端９２ｃの略中央位置には、電装箱本体９０に当該外側板９２を係止するための爪部９３が設けられている。この爪部９３を電装箱本体９０に形成された受け部９４に係止することで、外側板９２が閉じられる。但し、図３には、電装箱本体９０の上部にトップカバー５６が被された状態を示している。
外側板９２の裏面には、メイン基板１１０（第一の基板）が取り付けられる。外側板９２の前端９２ｂの略中央位置にはメイン基板１１０を着脱自在に係止するための係止部９５が設けられており、メイン基板１１０の下端１１１は後述するレール９６ａに支持されている。外側板９２を開いた場合、メイン基板１１０は、レール９６ａに下端１１１が支持され、前端１１２が係止部９５により係止された状態で、外側板９２と共に移動する。従って、外側板９２を開いたメンテナンス業者等に対して、メイン基板１１０の電子部品の装着面が面するようになっている。また、係止部９５は、弾性変形可能な部材で構成されている。そして、当該係止部９５の前端部９５ａに対して外側に開くような力が加わると、係止部９５とメイン基板１１０との係合が解除される。したがって、外側板９２を閉じた状態で、メンテナンス業者等がこの係止部９５を外側に開くと、電装箱５５をフレーム３に組み付けた状態で、メイン基板１１０を電装箱５５から引き出すことができる。但し、図４は、外側板９２のみを開いた状態を示している。
【００１９】
また、図３及び図６（ｂ）に示す様に、内側板９１と外側板９２との間は開口している。電装箱本体９０に収容されたメイン基板１１０の前端１１２側はこの開口から露出している。メイン基板１１０の下方、すなわち、メイン基板１１０の装着された電子部品（装着部品）を避けた位置にサブ基板１２０（第二の基板）が収容されている。サブ基板１２０は、案内部９６により、この開口を介して電装箱５５から引き出し自在となっている。案内部９６は、外側板９２の裏面に着脱自在に取り付けられるレール９６ａと、内側板９１に設けられ、このレール９６ａと対向する位置に取り付けられるレール９６ｂと、これらのレール９６ａ、９６ｂにより着脱自在に支持されるサブ基板載置プレート９７とを備えている。サブ基板載置プレート９７の前端には係止部９７ａが形成されており、この係止部９７ａによりサブ基板載置プレート９７に載置されたサブ基板１２０が電装箱５５外に飛び出さないようにされている。
サブ基板１２０は、このサブ基板載置プレート９７に載置されて、電装箱５５に収容される。これにより、サブ基板１２０は案内部９６に案内されて電装箱５５から前方に引き出し自在となっている。
【００２０】
電装箱５５の前側には、内側板９１の前端９１ａに連接する前面板９８が熱交換ユニット２０の側に突出するように設けられている。但し、本実施の形態では、内側板９１の前端９１ａ側の上部には、メイン基板１１０に装着される大型の電子部品を収容するため、熱交換ユニット２０側に突出する凹部９１ｂが形成されている。
前面板９８には、上下に間隔を開けて第一端子板１０１、及び第二端子板１０２が設けられている。これらと共に、前面板９８には、第一端子板１０１及び第二端子板１０２の中間位置に配線仕切板１０３が設けられる。
上述した様に、グリル１０には、電装箱５５の配置位置に相当する位置に開口１８が形成されている。前面パネル１６を外した場合、グリル１０の開口１８から電装箱５５の前面板９８に設けられたこれらの第一端子板１０１、及び配線仕切板１０３、並びに第二端子板１０２が露出される。また、電装箱５５の内側板９１と外側板９２との間の開口部分は、着脱自在の前面カバー部材５７により被覆されると共に、グリル１０により一部が被覆される。
【００２１】
第一端子板１０１に接続されるリード線（配線）（図示略）は、メイン基板１１０に接続される。第一端子板１０１には、二つの接続端子が一対となった五対の接続端子Ｔ１１〜Ｔ１５が設けられている。これらの五対の接続端子Ｔ１１〜Ｔ１５は、端子間仕切壁１０１ａによって仕切られている。
第一端子板１０１に設けられた五対の接続端子Ｔ１１〜Ｔ１５のうち、熱交換ユニット２０側に並んで配置される二対の接続端子Ｔ１１、Ｔ１２は、電源線接続用の接続端子である。また、中央に配置される一対の接続端子Ｔ１３はアース線接続用の接続端子である。残りの二対の接続端子Ｔ１４、Ｔ１５は、室外ユニットとの通信配線が接続される通信配線用の接続端子である。
一方、第二端子板１０２に接続されるリード線（配線）（図示略）は、サブ基板１２０に接続される。第二端子板１０２には、二つの接続端子が対になった四対の接続端子Ｔ２１〜Ｔ２４が設けられている。
この四対の接続端子Ｔ２１〜Ｔ２４のうち、熱交換ユニット２０側に配置される二対の接続端子Ｔ２１、Ｔ２２は、リモコンを有線により室内ユニット１Ａに接続するためのリモコン配線用の接続端子である。残りの二対の接続端子Ｔ２３、Ｔ２４は、集中制御装置と通信接続を行うための通信配線が接続される接続端子である。但し、本実施の形態の壁掛け型空気調和装置１は、複数台の室内ユニット１Ａを一台又は複数台の室外ユニットと接続して、集中制御装置により室内ユニット１Ａ及び室外ユニットの運転状態を制御可能としている。一台又は複数台の室外ユニットに対して複数台の室内ユニット１Ａを接続した空気調和システムを構成する場合に、各室内ユニット１Ａに対して当該サブ基板１２０を設け、第二端子板１０２を用いて集中制御装置とサブ基板１２０とを接続することにより、当該室内ユニット１Ａを集中制御により制御することができる。また、集中制御装置に接続した場合に、室内ユニット１Ａに対して有線によりリモコンを接続するか否かはオプション仕様となっている。
【００２２】
配線仕切板１０３は、図５及び図７に示す様に、前端１０３ａが第一端子板１０１の端子間仕切壁１０１ａの上部に近接し、奥端１０３ｂが第二端子板１０２の端子間仕切壁１０２ａの下部に近接するように、前方から奥方に向かって傾斜している。配線仕切板１０３の下方は、図９に示す様に、第一端子板１０１に接続されたリード線の配線スペース１０５が設けられ、配線仕切板１０３の上方は、第二端子板１０２に接続されたリード線の配線スペースとなっている。
第一端子板１０１に設けられた互いに対になる接続端子Ｔ１１〜Ｔ１５のうち、配線仕切板１０３側に位置する接続端子Ｔ１１ａ〜Ｔ１５ａ（図８参照）に接続されたリード線は、配線仕切板１０３の下側を通って、内側板９１の前端９２ｂ側から電装箱５５に収容されたメイン基板１１０に接続される。但し、上述した様に、電装箱５５の内側板９１と外側板９２との間の開口部分は着脱自在の前面カバー部材５７により被覆されると共に、グリル１０により一部が被覆されている。したがって、メイン基板１１０に接続された配線は、前面カバー部材５７及びグリル１０とこの配線仕切板１０３により被覆されており、ユーザーやメンテナンス業者等にメイン基板１１０に接続された配線を不用意に触られることが防止されている。
【００２３】
また、メイン基板１１０には、ファンモーター４６、フラップ駆動モーター６３及び温度センサーに接続されるリード線（図示略）が接続される。これらのリード線は、内側板９１の前端部９１ｃに設けられた縦長のリード線挿通孔９９を通って電装箱５５に挿入される。
【００２４】
以上説明した本実施の形態の壁掛け型空気調和装置１によれば、電装箱５５には第一端子板１０１、及び第二端子板１０２が予め備えられており、第一端子板１０１には室内ユニット１Ａの運転制御を行うためのメイン基板１１０が接続される端子板であり、第二端子板１０２はサブ基板１２０等のオプション仕様に対応する部品を追加するための端子板として設けられている。従って、室内ユニット１Ａの設置後に、集中制御装置に接続したり、有線によりリモコンを接続する場合等、後付けでプション仕様に対応する部品を追加するときであっても、この第二端子板１０２を用いて、現場で配線接続を簡易に行うことができる。
また、上記実施の形態によれば、第一端子板１０１に接続された配線は配線仕切板１０３の下側を通して、電装箱５５内のメイン基板１１０に接続されている。したがって、第一端子板１０１に接続された配線を配線仕切板１０３により被覆して、不用意にメンテナンス作業者等に触れられるのを防止することができる。
また、配線仕切板１０３により、第一端子板１０１に接続された配線と、第二端子板１０２に接続された配線との干渉を防ぐことができる。
【００２５】
また、上記実施の形態によれば、内側板９１と外側板９２との間にメイン基板１１０と、サブ基板１２０とが収容されており、内側板９１と外側板９２との間の開口は着脱自在の前面カバー部材５７が被されているので、グリル１０の開口１８から電装箱５５に収容されたメイン基板１１０やサブ基板１２０の収容箇所が露出するのを防止することができる。
また、上記実施の形態によれば、電装箱５５の外側板９２を側方に開いて、電装箱５５に収容されたメイン基板１１０にサブ基板１２０等のオプション仕様に対応する部品追加に伴うサブ基板１２０等のオプション仕様に対応する部品とのコネクター差込作業等の各種の作業を行うことができる。
【００２６】
また、上記実施の形態によれば、外側板９２の裏面にメイン基板１１０が取り付けられるので、外側板９２を開いた状態で、外側板９２にメイン基板１１０を支持させた状態で、サブ基板１２０等のオプション仕様に対応する部品の追加に伴うメイン基板１１０へのサブ基板等のオプション仕様に対応する部品とのコネクターの差込作業等の各種の作業を行うことができる。
【００２７】
また、上記実施の形態によれば、サブ基板１２０等の制御基板をオプション仕様に対応する部品として追加する場合、電装箱５５の前面側に設けられた開口からサブ基板１２０を挿入して電装箱５５に収容することができる。
但し、上記実施の形態は、本発明の一態様であり、本発明の趣旨を逸脱しない範囲において、適宜変更可能であるのは勿論である。
例えば、オプション仕様に対応する部品は、サブ基板１２０に限定されるものではなく、仕様変更等に伴う部品の追加若しくは部品の変更、更新等であってもよいのは勿論である。
【符号の説明】
【００２８】
１  壁掛け型空気調和装置
２  熱交換器
４  送風機
１０  グリル
１８  開口
２０  熱交換ユニット
３１  ドレンパン
５５  電装箱
５７  カバー部材
９１  内側板
９１ｃ  前端部
９２  外側板
９２ａ  奥端
９２ｂ  前端
９８  前面板
１０１  第一端子板
１０２  第二端子板
１０３  配線仕切板
１１０  メイン基板（基板、第一の基板）
１２０  サブ基板（基板、第二の基板）
【図１】
2011052836.tif 000003
【図２】
2011052836.tif 000004
【図３】
2011052836.tif 000005
【図４】
2011052836.tif 000006
【図５】
2011052836.tif 000007
【図６】
2011052836.tif 000008
【図７】
2011052836.tif 000009
【図８】
2011052836.tif 000010
【図９】
2011052836.tif 000011